(57)【要約】【課題】変調を用いて任意の振幅及び位相制御を施すことが可能な平衡信号を生成すること。【解決手段】差動（平衡）駆動信号を生成するための手段を開示する。これらの駆動信号の少なくとも１方の位相を他方の駆動信号に関連付けて制御することができ、双方の駆動信号の振幅を制御することが可能である。１実施形態では、コヒーレントな信号が第１の電子信号発生器(ESG)で発生されて第２のESGに供給される。コヒーレントな信号が、第２のESGの通常の入力信号に取って代わり、第２のESGのＩ及びＱ入力が、出力信号の振幅と位相を制御する。この出力信号は、第１のESGの出力信号と組み合わされると、振幅及び位相が制御された差動平衡信号となる。【選択図】図１
2004309471.tif 000002
【特許請求の範囲】
【請求項１】
双出力ＲＦ信号源において、
第１の出力信号の振幅及び位相を制御するための第１の回路であって、前記第１の出力信号が入力信号を変更したものであることからなる、第１の回路と、
前記第１の出力信号と位相干渉性のある第２の出力信号を供給するための第２の回路と、
前記出力信号の一方の位相及び振幅を他方の出力信号との関係において調整し、可制御ＲＦ差動出力を確立するための回路
を備える、双出力信号源。
【請求項２】
前記第２の出力信号は変更されていない前記位相干渉性のある信号であり、前記位相及び振幅の調整は前記第１の出力の位相及び振幅の調整を含み、それによって前記第１の出力信号の前記振幅を前記第２の出力信号に合致させ、及び、前記位相を１８０度ずらすようにすることからなる、請求項１に記載の双出力信号源。
【請求項３】
前記第２の出力信号は、その振幅が前記第１の出力信号の振幅とは別個に調整可能である、請求項１に記載の双出力信号源。
【請求項４】
前記第２の出力信号は、その位相及び振幅が前記第１の出力信号の位相及び振幅とは別個に調整可能である、請求項１に記載の双出力信号源。
【請求項５】
複数の出力信号を供給するための回路において、
第１及び第２の電子信号発生器（ＥＳＧ）であって、それぞれがＩ入力及びＱ入力を有し、少なくとも前記第１のＥＳＧが複数のＣＷ出力をもった持続波（ＣＷ）周波数信号源を有することからなる、第１及び第２の電子信号発生器と、
前記第１のＥＳＧの前記Ｉ入力及びＱ入力を含み、前記第１のＥＳＧの出力信号の振幅及び位相を制御するための手段であって、前記出力信号が前記ＥＳＧ信号源の一方からの前記ＣＷ出力信号の一方の第１の部分を変更したものであることからなる、手段と、
前記第２のＥＳＧの前記Ｉ入力及びＱ入力を含み、前記第２のＥＳＧの出力信号の位相を制御するための手段であって、前記出力信号が前記第１のＥＳＧ信号源からの前記ＣＷ信号の第２の部分を変更したものであることからなる、手段
を備える、回路。
【請求項６】
平衡出力信号を供給するための回路であって、
持続波（ＣＷ）入力信号と、該ＣＷ入力信号と可干渉である出力信号を供給するための信号源と、
前記ＣＷ入力信号を受け入れ、Ｉ入力及びＱ入力の制御下で、変調された第１の出力信号の振幅及び位相を制御するための第１の変調器と、
前記可干渉性出力信号を受け入れ、Ｉ入力及びＱ入力の制御下で、変調された第２出力信号の位相を制御するための第２の変調器であって、前記第１及び第２の変調された出力信号が平衡差動対を形成することからなる、第２の変調器
を備える、回路。
【請求項７】
差動信号を供給する方法において、
第１の出力信号の振幅及び位相を制御するステップであって、前記第１の出力信号は、入力信号を変更したものであることからなる、ステップと、
前記第１の出力信号と位相干渉性を有する第２の出力信号を供給するステップと、
前記出力信号の一方の位相及び振幅を該出力信号の他方との関係において調整するステップ
を含む、方法。
【請求項８】
前記第２の出力信号は変更されていない前記位相可干渉性信号であり、前記位相及び振幅調整ステップは前記第１の出力の位相及び振幅を調整するステップを含み、これにより前記第１の出力信号の前記振幅を前記第２の出力信号に整合させ、及び、位相が１８０度だけずれるようにすることからなる、請求項７に記載の方法。
【発明の詳細な説明】
【技術分野】
【０００１】
本発明は平衡差動出力発生回路に係り、より詳しくは変調を用いて任意の振幅及び位相制御が施された平衡信号を生成するためのシステム及び方法に関する。
【背景技術】
【０００２】
技術の進歩は、より小型でより低電力のデバイスを可能にしてきた。これらの装置の構成の多くは、今では、伝統的な単終端式の（すなわち、非平衡終端された）入力端及び出力端に代え、平衡（すなわち差動）入力ドライバを用いている。かくして、２ポート平衡装置は４つの単終端式接続、すなわち正入力と負入力及び正出力と負出力をもつことになる。その線形領域で動作する受動デバイス或いは能動デバイスについては、平衡デバイスからの個々の単終端構成の応答を計測し、その結果を数学的に結合して差動すなわち平衡応答を得ることで十分であることが知られている。これを正確に動作させるにはデバイスは線形動作しなければならず、それは、信号が十分に小さく、デバイスの挙動が信号レベルにより変化しないようにすることを意味する。
【発明の開示】
【発明が解決しようとする課題】
【０００３】
しかしながら、多くの装置はそれらの動作範囲の全てにわたっては線形ではない。例えば、増幅器では大信号と小信号の間でバイアス電流が変わることもある。この種のデバイスにとって、適切な振幅及び位相関係を示す実時間信号をもってそれらを駆動することが必要である。これらの駆動信号を、同一振幅でかつ１８０度の位相差をもって試験対象デバイス（ＤＵＴ）の入力ポート（正及び負）に出現させ、真の差動信号となるようにしなければならない。
【０００４】
いくつかのアプリケーションではバラン（平衡不平衡変成器）がしばしば用いられるが、バランは、デバイスとバランの間の接続に起因するどんな位相オフセットの導入も排除するようデバイスのごく近傍に配置される。しかしながら、試験機器用途では、相互接続を十分良好に制御して所望の平衡を維持することは不可能であろう。さらに、多くの装置において用いられる信号方式は複雑な変調形態をなし、相当広い帯域を有する。バランは、この広い帯域にわたる計測をゆがめることがある。平衡出力を生成する公知の回路は、３ｄＢ方向性結合器などのバラン及び複合体（ハイブリッド）を含み、それら全ては出力位相が固定されている点で制約されており、ＤＵＴへの異なる線路長や、バランや複合体における不要な不平衡を補償するよう調整できないものである。
【課題を解決するための手段】
【０００５】
本発明では、差動（平衡）駆動信号が生成されるが、それらの駆動信号のうちの少なくとも一方を他方の駆動信号に関して、その位相と振幅を制御することができる。より一般的な応用形態では、両方の駆動信号の振幅を制御できる場合が好適である。１実施形態では、可干渉性信号（すなわち、干渉性のある信号。又は、コヒーレント信号）を第１の電子信号発生器（ＥＳＧ）において生成し、第２のＥＳＧに印加する。可干渉性信号は、第２のＥＳＧの通常の（または標準的な）入力信号と置き換わり、第２のＥＳＧのＩ入力（または同相成分入力）及びＱ入力（または直交成分入力）が出力信号の振幅と位相を制御する。この出力信号は、第１のＥＳＧの出力信号と組み合わせられると、振幅及び位相の両方が制御された差動平衡信号となる。
【０００６】
前述のことは、以下の本発明の詳細な説明がさらに良好に理解されるよう本発明の特徴と技術的な利点をやや幅広く概説したものである。本発明の特許請求の範囲の主題を形成する本発明の追加の特徴ならびに利点については後述する。開示した概念及び特定の実施形態を、本発明と同一の目的を実行するための他の構成に変更し、またはそのような他の構成を設計するための基本として容易に用い得ることが当業者には理解されよう。この種の等価な構成が特許請求の範囲に記載した本発明の思想ならびに範囲から逸脱しないこともまた当業者には理解されよう。構成ならびに動作方法の双方に関する本発明の特徴であると信ずる新規の特徴は、さらなる目的及び利点と併せ、添付図面に関連して考察したときに以下の説明からより良好に理解されよう。しかしながら、各図は例示と説明のみを目的に提供したものであって、本発明を限定することを意図したものではないことは言うまでもない。
【実施例】
【０００７】
本発明をより完全に理解するため、以下、添付図面を参照して説明する。
【０００８】
図１は電子信号発生器（ＥＳＧ）１１，１２を有するシステム１０を示しており、各発生器はベクトル変調器と任意波形発生器を用いて複素信号（または複合信号）を供給する。ＥＳＧ１１，１２は、アジレント（Ａｇｉｌｅｎｔ）社部品番号Ｅ４４３８Ｂやその等価物として入手可能である。信号源は、持続波（ＣＷ）周波数信号（または、連続波周波数信号。以下同じ）を生成する合成器１０１−１によって生成される。この信号は、スプリッタ１４０を用いて分割され、この信号の一部はノード１０５へ送られ、この同じ信号の一部もまたベクトル変調器１０２−１に送られる。ノード１０５へ行く信号の一部は、可干渉性搬送波（またはコヒーレントキャリア）と呼ばれる。
【０００９】
ベクトル変調器１０２−１は、Ｉ入力及びＱ入力１０３−１の指示下で、ＥＳＧ１１のノード１１１に現れる出力信号の振幅及び位相を制御する。この出力信号は、ノード１０５上の信号と位相干渉性を有する（または、位相がコヒーレントである）。
【００１０】
１実施例では、ノード１０５の信号はＥＳＧ１２のノード１０６に送られる。ＥＳＧ１２はＥＳＧ１１の修正版であり、内部合成器１０１−２を迂回（バイパス）して外部信号を印加し、ノード１０６をＥＳＧ１２のベクトル変調器１０２−２に接続することができる。これにより、ＥＳＧ１１からのノード１０６上の可干渉性搬送信号（または、コヒーレントキャリア信号）をＥＳＧ１２のベクトル変調器１０２−２に印加することができる。有利なことに、可制御（すなわち、制御可能な）直流（ＤＣ）入力である（しかし、位相が制御された入力を含む任意のタイプの入力とすることもできる）Ｉ入力及びＱ入力１０３−２は、ベクトル変調器１０２−２を選択的に制御し、それによって、可干渉性搬送波がノード１１２に出現する際に可干渉性搬送波の信号の振幅又は位相を制御する。かくして、ノード１１２は、振幅及び位相が調整されかつノード１１１上の信号に対し位相干渉性を有する（すなわち、位相コヒーレントな）信号をその上に有する。従って、差動出力（または、差分出力。以下同じ）１２０は、差動平衡化され、かつ互いに対して振幅及び位相が制御された信号を含む。
【００１１】
この実施例では、第１のベクトル変調器１１か第２のベクトル変調器１２、又はその両方を、ノード１１１と１１２上の信号間の振幅及び位相関係を変更するのに用いることができる。このシステムにより、二つの出力の任意の振幅及び位相を設定することができ、かくして、このシステムは、ロードプル（load pull）や「スマート」アンテナ試験などの多くの用途を有することになる。
【００１２】
図５は、振幅制御を必要としない場合に、ＥＳＧ１１の可干渉性搬送波１０５をノード１１１上の主出力と対にすることで平衡出力の生成が可能である状況を示すものである。回路５０は、Ｉ入力及びＱ入力１０３−１をモニタ（監視手段）５１の制御下で設定し、これにより主出力１１１が、可干渉性搬送波（制御されていない）と同振幅を有し、かつ、可干渉性搬送波（位相の制御もされていない）とは１８０度位相がずれるように構成されている。モニタ５１は信号源１０１−１の振幅及び位相をノード１１１における振幅及び位相と比較し、Ｉ入力及びＱ入力を調整して誤差を低減する。相対的な位相及び振幅は、「ＳＹＳＴＥＭ  ＡＮＤ  ＭＥＴＨＯＤ  ＦＯＲ  ＣＡＬＩＢＲＡＴＩＮＧ  ＢＡＬＡＮＣＥＤ  ＳＩＧＮＡＬＳ」と題する同時係属出願に記載されているベクトル回路網分析器等の試験システムで計測することができる。
【００１３】
図２は、出力１１２と対比した所望の位相設定の関数としての出力１１１の位相（グラフ２０１）を示す。すなわち、４５度（ポイント２０２）の位相設定では、信号１１１と１１２の間の位相差は７度を若干上回り、その一方で９０度（ポイント２０３）の位相設定では、位相差は反対方向に１度である。ほぼ１８０度（ポイント２０４）において、信号は同相となる。このことは、位相出力が必ずしも線形でないことを示すものである。
【００１４】
これらの信号を較正プロセス（例えば、較正ルックアップテーブル）に用いると、任意の小さな位相誤差を得ることができるように位相を補正することができる。この種の較正を遂行する一つの方法が、本願と同時出願した「ＳＹＳＴＥＭ  ＡＮＤ  ＭＥＴＨＯＤ  ＦＯＲ  ＣＡＬＩＢＲＡＴＩＮＧ  ＢＡＬＡＮＣＥＤ  ＳＩＧＮＡＬＳ」と題する同時係属米国特許出願第１０／４０５，５３３号（代理人整理番号第１００３００４２−１号）に示されている。
【００１５】
図３は位相の補正結果を示しており、位相補正の分解能は１度である。元々の位相関係が、２０１として図示してある。予想される如く、得られた位相出力３０１は１度（ゼロの両側１／２度）未満に補正されている。
【００１６】
位相と振幅が可変である二つ（又はそれより多くの）位相可干渉性信号源を有する多くの用途（応用形態）が存在し、問題解決に有益なものとなり得る。この種の一つの用途がロードプルであり、この場合、或るレベルでデバイス（通常は増幅器）を駆動したときに特定値の出力反射係数を生成することが望ましい。このことは、デバイスが非線形挙動を引き起こすレベルで駆動されるときに特に重要である。駆動信号とコヒーレントな反射の振幅及び位相を変更する能力をもつことで、信号の位相関係に関係なく試験対象デバイスに対して見かけ上の一定の負荷を生成することが可能となる。
【００１７】
図４は、位相と振幅を試験目的に合わせることが可能なシステムのブロック図４０を示す。コンピュータ４１はタップ４１２，４１３を介して出力信号（Ｂ２／Ａ１にて計測）を読み取り、増幅器に対し適切な反射信号を生成すべく振幅及び位相をもった対応信号（Ａ２／Ａ１にて計測）を生成する。
【００１８】
図４に示す如く、試験装置４２は、信号源４１０からの信号をスイッチ４１１−１を介してデバイス４２０等の試験対象デバイスへ印加する。信号源４１０からの信号の可干渉性部分は、図１について前述した如く、ベクトル変調器１０３−２へ印加される。コンピュータ４１は端子Ｂ２にてデバイス４２０を通過する信号を読み取り、端子Ａ１にて入力信号を読み取る。コンピュータ４１は、次に、変調器１０２−２に対する直流のＩ入力及びＱ入力１０３−２を調整し、それによって位相を調整し、必要に応じてノード４０３における信号の振幅を調整する。ノード４０３における信号は、スイッチ４１１−２を介してデバイス４２０に対する反射負荷信号として印加される。この種のシステムに対し較正を行なうことができ、自動的なルーチンによりノード４０３における信号の適正な位相及び振幅を計算し設定することができる。この種の較正の例は、「ＳＹＳＴＥＭ  ＡＮＤ  ＭＥＴＨＯＤ  ＦＯＲ  ＣＡＬＩＢＲＡＴＩＮＧ  ＢＡＬＡＮＣＥＤ  ＳＩＧＮＡＬＳ」と題する同時係属米国特許出願第１０／４０５，５３３号（代理人整理番号第１００３００４２−１号）に示されている。信号源４１０と変調器１０２−２の間に逓倍器４５−１などの周波数逓倍器を付加することで、この方法を（高）調波ロードプルへ拡張できることを認識されたい。この信号を、任意数の逓倍器４５−Ｎへの印加に必要なだけ分割することができ、その出力を同数のベクトル変調器１２−１〜１２−Ｎに印加することができる。ベクトル変調器の出力をノード４０３で合成して、任意数の調波を有する調波ロードプルシステムを生成することができる。各逓倍器は、所望の調波（又は高調波）を選択するように選ばれる。
【００１９】
図６は、差動平衡分析システム６０の１実施形態を示し、Ａ１とＡ２における平衡信号がＤＵＴ６２０の双入力端（デュアル入力端）へ行き、ＤＵＴ６２０からの出力が試験端子Ｂ３，Ｂ４を介して分析器４１により検分される。スイッチや双信号源（または２重構成信号源）を設け、これによりＤＵＴ６２０に対する信号を反転させ、Ｂ３及びＢ４に代えて端子Ｂ１及びＢ２にて計測できることに留意されたい。
【００２０】
ＥＳＧ１１，１２を個別回路として図示したが、所望とあらば、それらを一つの回路に組み合わせ、他の回路を両ＥＳＧの一方又は両方の代わりに用い得ることに留意されたい。また、信号源１０１−１からの入力信号を外部信号源により供給することもできる。
【００２１】
この構成の一つの利点は、出力、例えば図１に示した出力間の位相関係が内部信号源の位相に依存しないことにある。したがって、信号源を、入力周波数の倍数（あるいは、多様な入力周波数）に設定でき、また、各周波数ごとに計測された関係に合わせて設定することができる。補正列（補正構成または補正アレイ）を、平衡出力（或いは他の所望の位相関係）が信号源の任意の周波数範囲で達成できるよう生成することができる。これは、一般に共通の基準にロックされた多信号発生器については当てはまらず、その場合に、信号源周波数の変更は出力端における予測可能で反復可能な位相関係を生成しない。
【００２２】
ベクトル変調器を図示したが、他の回路系を用いることもできる。例えば、振幅については、ピンダイオード変調器やステップ減衰器や電圧可変増幅器やガリウム砒素ＦＥＴ減衰器やベクトル変調器等により制御することもできる。位相については、ラインストレッチャやピン変調器やベクトル変調器や移相器等により制御することもできる。
【００２３】
以下においては、本発明の種々の構成要件の組み合わせからなる例示的な実施態様を示す。
１．デュアル出力ＲＦ信号源において、
第１の出力信号の振幅及び位相を制御するための第１の回路であって、前記第１の出力信号が入力信号を変調したものであることからなる、第１の回路と、
前記第１の出力信号と位相がコヒーレントな第２の出力信号を供給するための第２の回路と、
前記出力信号の一方の位相及び振幅を他方の出力信号との関係において調整し、可制御ＲＦ差動出力を確立するための回路
を備える、デュアル出力信号源。
２．前記第２の出力信号は変調されていない前記位相コヒーレントな信号であり、前記位相及び振幅の調整は前記第１の出力の位相及び振幅の調整を含み、それによって前記第１の出力信号の前記振幅を前記第２の出力信号に合致させ、及び、前記位相を１８０度ずらすようにすることからなる、上項１に記載のデュアル出力信号源。
３．前記第２の出力信号は、その振幅が前記第１の出力信号の振幅とは別個に調整可能である、上項１に記載のデュアル出力信号源。
４．前記第２の出力信号は、その位相及び振幅が前記第１の出力信号の位相及び振幅とは別個に調整可能である、上項１に記載のデュアル出力信号源。
５．前記第１及び第２の出力信号の前記位相及び振幅は、Ｉ入力及びＱ入力を有するベクトル変調器により制御される、上項４に記載のデュアル出力信号源。
６．前記第２の出力信号を制御するベクトル変調器へのＩ入力及びＱ入力は、可制御の直流信号である、上項５に記載のデュアル出力信号源。
７．前記第１の回路は、持続波（ＣＷ）入力信号を制御するためのＩ入力及びＱ入力を有する電子信号発生器である、上項１に記載のデュアル出力信号源。
８．前記第２の回路は、前記第１の回路からの前記位相コヒーレント信号を制御するためのＩ入力及びＱ入力を有する電子信号発生器である、上項７に記載のデュアル出力信号源。
９．前記第２の回路のＩ入力及びＱ入力は可制御の直流入力である、上項８に記載のデュアル出力信号源。
１０．前記第１の回路のＩ入力及びＱ入力は持続波（ＣＷ）入力である、上項９に記載のデュアル出力信号源。
１１．複数の出力信号を供給するための回路において、
第１及び第２の電子信号発生器（ＥＳＧ）であって、それぞれがＩ入力及びＱ入力を有し、少なくとも前記第１のＥＳＧが複数のＣＷ出力をもった持続波（ＣＷ）周波数信号源を有することからなる、第１及び第２の電子信号発生器と、
前記第１のＥＳＧの出力信号の振幅及び位相を制御するための前記第１のＥＳＧの前記Ｉ入力及びＱ入力を含む手段であって、前記出力信号が前記ＥＳＧ信号源の一方からの前記ＣＷ出力信号の一方の第１の部分を変調したものであることからなる、手段と、
前記第２のＥＳＧの出力信号の位相を制御するための前記第２のＥＳＧの前記Ｉ入力及びＱ入力を含む手段であって、前記出力信号が前記第１のＥＳＧ信号源からの前記ＣＷ信号の第２の部分を変調したものであることからなる、手段
を備える、回路。
１２．前記第１のＥＳＧからの前記第２の部分のＣＷ信号は、前記第１のＥＳＧからの前記第１の部分のＣＷ信号とコヒーレントである、上項１１に記載の回路。
１３．平衡出力信号を供給するための回路であって、
持続波（ＣＷ）入力信号と、該ＣＷ入力信号とコヒーレントな出力信号を供給するための信号源と、
前記ＣＷ入力信号を受け入れ、Ｉ入力及びＱ入力の制御下で、変調された第１の出力信号の振幅及び位相を制御するための第１の変調器と、
前記コヒーレントな出力信号を受け入れ、Ｉ入力及びＱ入力の制御下で、変調された第２出力信号の位相を制御するための第２の変調器であって、前記第１及び第２の変調された出力信号が平衡差動対を形成することからなる、第２の変調器
を備える、回路。
１４．前記第１の変調器は、第１の信号源と第１のベクトル変調器を有する第１の電子信号発生器（ＥＳＧ）内にあり、前記第２の変調器は、第２の信号源と第２のベクトル変調器を有する第２のＥＳＧ内にあり、前記第１の信号源の一部が、前記第２の信号源からの信号に代わりに前記第２のベクトル変調器に提供されることからなる、上項１３に記載の回路。
１５．デバイス試験回路であって、該デバイスに印加される第１の信号との関係において、振幅及び位相を有する第２の信号を前記デバイスへ印加することが望ましいことからなる、デバイス試験回路において、
前記第１の出力信号の振幅及び位相を制御するための第１の回路であって、前記第１の出力信号が入力信号を変調したものであることからなる、第１の回路と、
前記第１の出力信号と位相がコヒーレントな第２の出力信号を供給するための第２の回路と、
一方の前記出力信号の位相及び振幅を他方の前記出力信号との関係において調整するための回路
を備える、デバイス試験回路。
１６．前記第２の出力信号は変調されていない前記位相がコヒーレントな信号であり、前記位相及び振幅調整は、前記第１の出力の位相及び振幅の調整を含み、これにより、前記第１の出力信号の前記振幅を前記第２の出力信号に一致させ、及び、位相を前記第２の信号との特定の関係においてずらすようにすることからなる、上項１５に記載の回路。
１７．前記第１の回路は、その入力信号として前記位相がコヒーレントな信号を有する電子信号発生器（ＥＳＧ）である、上項１６に記載の回路網。
１８．差動信号を供給する方法において、
第１の出力信号の振幅及び位相を制御するステップであって、前記第１の出力信号は、入力信号を変調したものであることからなる、ステップと、
前記第１の出力信号と位相がコヒーレントな第２の出力信号を供給するステップと、
前記出力信号の一方の位相及び振幅を該出力信号の他方との関係において調整するステップ
を含む、方法。
１９．前記第２の出力信号は変調されていない前記位相がコヒーレントな信号であり、前記位相及び振幅調整ステップは前記第１の出力の位相及び振幅を調整するステップを含み、これにより前記第１の出力信号の前記振幅を前記第２の出力信号に一致させ、及び、位相が１８０度だけずれるようにすることからなる、上項１８に記載の方法。
２０．平衡出力信号を供給する方法において、
持続波（ＣＷ）入力信号と、該ＣＷ入力信号とコヒーレントな出力信号を供給するステップと、
前記ＣＷ入力信号を受け入れ、Ｉ入力及びＱ入力の制御下で、変調された第１の出力信号の振幅及び位相を制御するステップと、
前記コヒーレントな出力信号を受け入れ、Ｉ入力及びＱ入力の制御下で、変調された第２の出力信号の振幅及び位相を制御するステップであって、前記第１及び第２の変調された出力信号が平衡差動対を形成することからなる、ステップ
を含む、方法。
２１．前記ＣＷ入力信号を受け入れるステップは、第１の信号源と第１のベクトル変調器を有する第１の電子信号発生器（ＥＳＧ）内で実行され、前記コヒーレントな出力信号を受け入れるステップは、第２の信号源と第２のベクトル変調器を有する第２のＥＳＧ内で実行され、前記第１の信号源の一部が前記第２の信号源からの信号の代わりに前記第２のベクトル変調器に供給されることからなる、上項２０に記載の方法。
２２．複数の出力信号を供給するための回路であって、
信号入力として、持続波（ＣＷ）周波数信号源を有するＩ入力及びＱ入力を備える第１の変調回路と、
Ｉ入力及びＱ入力を有し、かつ信号入力を有する第２の変調回路と、
前記第１のＥＳＧの出力信号の振幅及び位相を制御するための前記第１の電子信号発生器（ＥＳＧ）の前記Ｉ入力及びＱ入力を含む手段であって、前記出力信号が前記ＣＷ信号の第１の部分を変調したものであることからなる、手段と、
前記第２の変調回路からの出力信号の位相を制御するための前記第２の変調回路の前記Ｉ入力及びＱ入力を含む手段であって、前記出力信号が前記第２の変調回路の前記信号入力に印加された前記第１の変調回路からの前記ＣＷ信号の第２の部分を変調したものであり、前記第１のＥＳＧ出力と前記第２の変調回路が前記複数の出力信号を供給することからなる、手段
を備える、回路。
２３．前記ＣＷ信号は、位相も振幅も制御されていない、上項２２に記載の回路。
２４．前記第１の変調回路制御手段が、前記第１の変調回路の前記出力信号とコヒーレントな信号を前記第２の変調器に供給するためのスプリッタを備えることからなる、上項２２に記載の回路。
２５．差動平衡分析システムであって、
周波数と振幅を有する第１の信号を試験対象デバイス（ＤＵＴ）の第１の入力端に印加するための試験信号源と、
入力として前記第１の信号の一部を受け入れ、前記ＤＵＴの第２の入力への第２の信号を生成するための第１の回路であって、前記第２の信号の位相及び振幅を前記第１の信号の位相及び振幅に一致させるための回路を備えることからなる第１の回路と、
前記ＤＵＴの出力を監視するための回路
とを備える、システム。
２６．前記監視するための回路は、前記ＤＵＴの前記監視された出力に従って前記第２の信号の位相を調整するためのＩ及びＱ制御信号を提供することからなる、上項２５に記載のシステム。
２７．前記第１の回路は、前記入力を受信するためのベクトル変調器を備え、前記Ｉ及びＱ制御信号は前記ベクトル変調器の出力を変調することからなる、上項２６に記載のシステム。
２８．前記Ｉ及びＱ制御信号は、可制御の直流信号である、上項２７に記載のシステム。
２９．ロードプル試験を実行するための方法であって、
少なくとも二つの出力を有する持続波（ＣＷ）信号源信号を確立するステップと、
前記出力の一方を駆動信号として試験対象デバイス（ＤＵＴ）に印加するステップと、
前記出力の他方をＩ及びＱ変調器にて受け入れるステップであって、該変調器が振幅及び位相が制御された出力信号を有することからなる、ステップと、
前記振幅及び位相が制御された出力信号を前記ＤＵＴの出力に印加するステップ
を含む、方法。
３０．調波ロードプルを試験するための方法であって、
少なくとも二つの出力を有する持続波（ＣＷ）信号源を確立するステップと、
前記出力の一方を駆動信号として試験対象デバイス（ＤＵＴ）に印加するステップと、
前記出力の他方を周波数逓倍し、周波数逓倍されていない信号と周波数逓倍された信号の両方を供給するステップと、
Ｉ及びＱ変調器の入力にて前記周波数逓倍された信号と周波数逓倍されていない信号の両方を受け入れるステップと、
前記変調器からの結合された出力を前記ＤＵＴの出力に印加するステップ
を含む、方法。
【００２４】
本発明による差動（平衡）駆動信号を生成するための手段においては、駆動信号の少なくとも１方の位相を他方の駆動信号に関連付けて制御することができ、双方の駆動信号の振幅を制御することが可能である。１実施形態では、コヒーレントな信号が第１の電子信号発生器(ESG)で発生されて第２のESGに供給される。コヒーレントな信号が、第２のESGの通常の入力信号に取って代わり、第２のESGのＩ及びＱ入力が、出力信号の振幅と位相を制御する。この出力信号は、第１のESGの出力信号と組み合わされると、振幅及び位相が制御された差動平衡信号となる。
【００２５】
本発明とその利点を詳細に説明してきたが、特許請求の範囲によって規定された本発明の思想及び範囲から逸脱することなく様々な変形や置換や代替が可能であることを理解されたい。さらに、本出願の範囲を本明細書中に記載したプロセス、機械、製造、組成、手段、方法及びステップの特定の実施形態に限定することは意図されていない。本発明の開示から当業者には容易に理解される如く、既存のまたは後で開発されるような、本願明細書にて説明したものに対応する実施形態とほぼ同じ機能を果たすかまたはほぼ同じ成果を達成するプロセス、機械、製造、組成、手段、方法、ステップを本発明に従って利用することが可能である。従って、特許請求の範囲には、そのようなプロセス、機械、製造、組成、手段、方法及びステップが含まれる。
【図面の簡単な説明】
【００２６】
【図１】差動出力を供給するためのシステム及び方法の１実施形態を示すブロック図である。
【図２】図１の回路の出力特性を示すグラフである。
【図３】図１の回路の出力特性を示すグラフである。
【図４】開示した概念を用いた試験システムの１実施形態を示す図である。
【図５】一つの代替システム構成を示す図である。
【図６】差動平衡回路網分析システムの１実施形態を示す図である。
【符号の説明】
【００２７】
１０  システム（双出力信号源または双出力信号生成システム）
１１  第１の回路（電子信号発生器：ＥＳＧ）
１２  第２の回路（電子信号発生器：ＥＳＧ）
１０１−１、１０１−２  ソース（信号発生器）
１０２−１、１０２−２  ベクトル変調器
６２０  試験対象デバイス（ＤＵＴ）
【図１】
2004309471.tif 000003
【図２】
2004309471.tif 000004
【図３】
2004309471.tif 000005
【図４】
2004309471.tif 000006
【図５】
2004309471.tif 000007
【図６】
2004309471.tif 000008